(57)【要約】【課題】スルー画像を表示可能なデジタルカメラ等の撮像装置において、再生モードに切り替えなくとも、撮影画像の確認をすることができ、確実に撮影が完了し、正常に画像データが保存されたことをユーザが認識できるようにする。【解決手段】撮影スタンバイ状態ではスルー画像を表示し、撮影後はアニメーションを表示した後に今回撮影した画像をポストビュー表示をする。このアニメーションは前回撮影された画像の上に今回撮影した画像が重なっていく印象を持つアニメーションとなっている。【選択図】  図３
2008109221.tif 000002
【特許請求の範囲】
【請求項１】
静止画撮影モード中に動画撮影を行うとともに、シャッターボタンによる撮影指示を入力すると、静止画の本撮影を行う撮像手段と、
前記本撮影された静止画を記録媒体に記録する記録手段と、
前記撮像手段によって本撮影された今回の静止画と、本撮影された前回の静止画又は前回の静止画を含む複数の画像とを使用して特殊効果画像を作成する画像作成手段と、
動画又は静止画を表示する表示手段と、
前記動画撮影された動画をライブビュー画像として前記表示手段に表示させるとともに、本撮影後に前記ライブビュー画像に代えて本撮影された静止画を確認画像として前記表示手段に表示させる表示制御手段であって、本撮影後の所定の時間内に前記画像作成手段によって作成された特殊効果画像を前記表示手段に表示させる表示制御手段と、
を備えたことを特徴とする撮像装置。
【請求項２】
前記画像作成手段は、本撮影された今回の静止画と、本撮影された前回の静止画とを使用して前回の静止画から今回の静止画に動的に切り替わる特殊効果画像を作成することを特徴とする請求項１に記載の撮像装置。
【請求項３】
前記特殊効果画像は、前回の静止画の上に今回の静止画が重なっていく印象を与えるアニメーション画像であることを特徴とする請求項２に記載の撮像装置。
【請求項４】
前記画像作成手段は、本撮影された今回の静止画と、本撮影された前回の静止画を含む複数の画像の縮小画像が複数の分割領域に配置されたマルチ画像であって、少なくとも１コマ分の空白領域を有するマルチ画像とを使用し、今回の静止画を表示した後に今回の静止画を徐々に縮小して前記空白領域に配置する特殊効果画像を作成することを特徴とする請求項１に記載の撮像装置。
【発明の詳細な説明】
【技術分野】
【０００１】
本発明は撮像装置に係り、特にスルー画像表示が可能な撮像装置に関する。
【背景技術】
【０００２】
従来、デジタルカメラにおいては、その背面に液晶モニタを備え、撮影レンズを通して入射する被写体像を逐次電気信号に変換して液晶モニタに写し出す、ライブビュー画像（スルー画像）を表示するものが一般的である。ユーザは、液晶モニタに写し出されるスルー画像を見ながら被写体を確認し、撮影を行うことが可能である。
【０００３】
ところで、このようなカメラで撮影を行う場合、液晶モニタにはスルー画像が表示され、このスルー画像の表示中に行われたシャッタレリーズ操作に応じて画像データの保存が行われる。このとき液晶モニタには、レリーズ操作時に撮影された静止画が撮影直後の一定期間（例えば１．５秒、または３秒）表示され、この静止画像表示（以下、「ポストビュー」という）により撮影された静止画の確認を可能にし、その後ポストビューから再びスルー画像に切り替えられる。
【０００４】
しかしながら、デジタルカメラの初心者や不慣れなユーザにとっては、このポストビューが何を意味しているのか理解しにくいことがあった。
【０００５】
また、例えば風景などのような静止しているものを撮影した場合には、スルー画像からポストビューに切り替わっても区別がつきにくく、正常に撮影が行われたのかどうかユーザが認識しにくいという問題があった。
【０００６】
このような場合には、カメラを操作して撮影済みの画像を再生可能な再生モードにし、撮影した画像が再生されることを確認することにより、正常に撮影が行われたことを認識できることになる。
【０００７】
特許文献１には、撮影した画像データを最終的な二次記憶媒体に記録している途中等であっても、再生操作部材が操作されると、一時記憶媒体に格納されている画像データを使用して再生モードへ移動することができ、所望の画像を任意の時点で再生して、その内容を確認することができる電子カメラについて記載されている。
【０００８】
この電子カメラによれば、撮影直後であっても、再生モードに切り替えて、正常に撮影が行われたかどうかの確認が可能である。
【０００９】
特許文献２には、撮影の直後に、撮影した画像をスルー画像と同一表示画面上に表示する電子カメラについて記載されている。
【００１０】
この電子カメラによれば、撮影直後に、再生モードに切り替えることなく正常に撮影が行われたかどうかの確認が可能である。
【特許文献１】特開２０００−４１２１３号公報
【特許文献２】特開２００１−１１７１６３号公報
【発明の開示】
【発明が解決しようとする課題】
【００１１】
しかしながら、特許文献１に記載の電子カメラは、再生操作部材を操作する必要があり、煩雑であるという問題がある。
【００１２】
また特許文献２に記載の電子カメラは、撮影した画像とスルー画像を同一表示画面上に表示するために、撮影した画像の表示が小さくなり、確認しずらいという問題がある。
【００１３】
また、従来のポストビューも、撮影完了の告知としては不十分であった。
【００１４】
本発明は前記事情に鑑みてなされたもので、撮影した画像の確認ができるとともに、確実に撮影が完了し、正常に画像データが保存されたことをユーザが認識できる表示を行うことにより、ユーザに安心感を与え、使いやすい撮像装置を提供することを目的とする。
【課題を解決するための手段】
【００１５】
前記目的を達成するために請求項１に係る撮像装置は、静止画撮影モード中に動画撮影を行うとともに、シャッターボタンによる撮影指示を入力すると、静止画の本撮影を行う撮像手段と、前記本撮影された静止画を記録媒体に記録する記録手段と、前記撮像手段によって本撮影された今回の静止画と、本撮影された前回の静止画又は前回の静止画を含む複数の画像とを使用して特殊効果画像を作成する画像作成手段と、動画又は静止画を表示する表示手段と、前記動画撮影された動画をライブビュー画像として前記表示手段に表示させるとともに、本撮影後に前記ライブビュー画像に代えて本撮影された静止画を確認画像として前記表示手段に表示させる表示制御手段であって、本撮影後の所定の時間内に前記画像作成手段によって作成された特殊効果画像を前記表示手段に表示させる表示制御手段とを備えたことを特徴とする。
【００１６】
これにより、撮影後に特殊効果画像が表示されることになり、ユーザは撮影が完了したことを認識することができる。
【００１７】
請求項２に示すように請求項１に記載の撮像装置において、前記画像作成手段は、本撮影された今回の静止画と、本撮影された前回の静止画とを使用して前回の静止画から今回の静止画に動的に切り替わる特殊効果画像を作成することを特徴とする。
【００１８】
これにより、ユーザに対して、新しい画像が保存されたという認識を持たせることができ、また本撮影された今回の画像を確認することもできる。
【００１９】
請求項３に示すように請求項２に記載の撮像装置において、前記特殊効果画像は、前回の静止画の上に今回の静止画が重なっていく印象を与えるアニメーション画像であることを特徴とする。
【００２０】
これにより、ユーザに対して、新しい画像が保存されたという認識を持たせることができ、また本撮影された今回の画像を確認することもできる。
【００２１】
請求項４に示すように請求項１に記載の撮像装置において、前記画像作成手段は、本撮影された今回の静止画と、本撮影された前回の静止画を含む複数の画像の縮小画像が複数の分割領域に配置されたマルチ画像であって、少なくとも１コマ分の空白領域を有するマルチ画像とを使用し、今回の静止画を表示した後に今回の静止画を徐々に縮小して前記空白領域に配置する特殊効果画像を作成することを特徴とする。
【００２２】
これにより、本撮影された今回の画像を確認することができ、またユーザに対して、新しい画像が保存されたという認識を持たせることもできる。
【発明の効果】
【００２３】
本発明によれば、スルー画像表示が可能な撮像装置において、撮影後の表示を単なる静止画像表示だけではなく、特殊効果画像を表示することで、撮影した画像の確認ができるだけでなく、確実に撮影が完了し、正常に画像データの保存ができたことをユーザに認識させることができる。
【発明を実施するための最良の形態】
【００２４】
以下、添付図面に従って本発明に係る撮像装置の第１の実施の形態について説明する。
【００２５】
図１は本発明に係る撮像装置（デジタルカメラ）１０を斜め後方から見た斜視図であり、このデジタルカメラ１０は、静止画の撮影、動画の撮影及び撮影した画像を再生する機能を備えており、上面には、電源ボタン１、シャッターボタン２、及びモードレバー３が設けられている。
【００２６】
モードレバー３は、回転させることにより、オート撮影モード、マニュアル撮影モード、人物モード、風景モード及び夜景モード等の選択が可能なシーンポジション、及び動画撮像モードのうちのいずれかを設定できるようになっている。
【００２７】
また背面には、ズームキー４、再生ボタン５、ピクセル数、感度等を設定するためのメニュー画面を表示させるフォトモードボタン６、上下左右キーからなるマルチファンクションの十字キー７、メニュー／ＯＫボタン８、表示／戻るボタン９及び液晶モニタ１４が設けられている。
【００２８】
液晶モニタ１４は、スルー画像を表示して電子ビューファインダとして使用できるとともに、カメラに装填されたメモリカードから読み出した再生画像等を表示することができる。
【００２９】
また、液晶モニタ１４は、カメラの動作モードやホワイトバランス、画像のピクセル数、感度等をマニュアル設定する際の各種のメニュー画面をメニュー／ＯＫボタン８やフォトモードボタン６の操作に応じて表示させ、十字キー７及びメニュー／ＯＫボタン８の操作に応じてマニュアル設定項目の設定が可能なグラフィカル・ユーザ・インターフェース（ＧＵＩ）用の画面を表示する。
【００３０】
図２は本発明に係る撮像装置の第１の実施の形態の構成を示すブロック図である。
【００３１】
同図において、ＣＰＵ１８は、前述した電源ボタン１、シャッターボタン２、モードレバー３、ズームキー４、再生ボタン５、フォトモードボタン６、十字キー７、メニュー／ＯＫボタン８、及び表示／戻るボタン９を含む操作部１２からの入力に基づいてデジタルカメラ１０内の各回路を統括制御するもので、カメラ制御プログラムに従って処理を実行する。
【００３２】
ＣＰＵ１８は、制御バス２０及びデータバス２２に接続されている。
【００３３】
制御バス２０及びデータバス２２には、ＣＰＵ１８の他にＳＤＲＡＭ（シンクロナス・ダイナミックＲＡＭ）２４、ＥＥＰＲＯＭ２６、メモリ制御回路２８、デジタル信号処理回路３０、タイマ回路３２、アニメーション作成回路３４、圧縮伸長回路３６、表示制御回路３８、及び外部メディア制御回路４０が接続されている。また、Ａ／Ｄ変換回路５４は、データバス２２に接続されている。
【００３４】
ＣＰＵ１８は、ＳＤＲＡＭ２４、ＥＥＰＲＯＭ２６との間で必要なデータの授受を行う。
【００３５】
メモリ制御回路２８は、ＣＰＵ１８からの指令によりＳＤＲＡＭ２４、ＥＥＰＲＯＭ２６に対してデータの読み書きを制御する。
【００３６】
ＥＥＰＲＯＭ２６には、カメラ制御プログラム、固体撮像素子の欠陥情報等のカメラ制御に関する各種のパラメータが格納されている。
【００３７】
ＣＰＵ１８は、ＥＥＰＲＯＭ２６に格納されたカメラ制御プログラムをＳＤＲＡＭ２４に展開し、ＳＤＲＡＭ２４をワークメモリとして使用しながら各種処理を実行する。
【００３８】
このデジタルカメラ１０において、操作部１２の電源ボタン１がＯＮ操作されると、ＣＰＵ１８はこれを検出し、カメラ内電源をＯＮにし、撮影モードで撮影スタンバイ状態にする。
【００３９】
この撮影スタンバイ状態では、ＣＰＵ１８は、表示制御回路３８を制御して液晶モニタ１４にスルー画像を表示させる。
【００４０】
ユーザは、液晶モニタ１４に表示されるスルー画像を見ながらフレーミングしたり、撮影したい被写体を確認したり、撮影後の画像を確認したり、撮影条件を設定したりすることができる。
【００４１】
上記撮影スタンバイ状態時にシャッターボタン２が半押しされると、ＣＰＵ１８はこれを検知し、ＡＥ測光、ＡＦ制御を行う。ＡＥ測光時には、固体撮像素子（ＣＣＤ）５０を介して取り込まれる画像信号の積算値等に基づいて被写体の明るさを測光する。
【００４２】
この測光した値（測光値）は、本撮影時における絞り４４の絞り値、及びシャッター速度の決定に使用される。
【００４３】
尚、本撮影時には、ＣＰＵ１８は、前記測光値に基づいて決定した絞り値に基づいて絞り駆動部５８を介して絞り４４を駆動するとともに、前記測光値に基づいて決定したシャッター速度になるように撮像素子駆動部６０を介してＣＣＤ５０での電荷蓄積時間（いわゆる電子シャッター）を制御する。
【００４４】
また、ＣＰＵ１８は、ＡＦ制御時にはフォースレンズを至近から無限遠に対応するレンズ位置に順次移動させるとともに、各レンズ位置毎にＣＣＤ５０を介して取り込まれるＡＦエリアの画像信号に基づいて画像信号の高周波成分を積算した評価値を取得し、この評価値がピークとなるレンズ位置を求め、そのレンズ位置にフォーカスレンズを移動させるコントラストＡＦを行う。
【００４５】
被写体光は、フォーカスレンズ、ズームレンズ等を含む撮影レンズ４２、絞り４４、赤外線カットフィルタ４６、及び光学ローパスフィルタ４８を介してＣＣＤ５０の受光面に入射する。
【００４６】
ＣＣＤ５０は、所定のカラーフィルタ配列（例えば、ハニカム配列、ベイヤ配列）のＲ、Ｇ、Ｂのカラーフィルタが設けられたカラーＣＣＤで構成されており、ＣＣＤ５０の受光面に入射した光は、その受光面に配列された各フォトダイオードによって入射光量に応じた量の信号電荷に変換される。各フォトダイオードに蓄積された信号電荷は、撮像素子駆動部６０から加えられるタイミング信号に従って読み出され、電圧信号（画像信号）としてＣＣＤ５０から順次出力される。
【００４７】
アナログ信号処理回路５２は、ＣＤＳ回路及びアナログアンプを含み、ＣＤＳ回路は、ＣＤＳパルスに基づいてＣＣＤ出力信号を相関二重サンプリング処理し、アナログアンプは、ＣＰＵ１８から加えられる撮影感度設定用ゲインによってＣＤＳ回路から出力される画像信号を増幅する。Ａ／Ｄ変換回路５４は、アナログ信号処理回路５２から出力されたアナログのＲ、Ｇ、Ｂ信号をそれぞれデジタルのＲ、Ｇ、Ｂ信号に変換し、この変換された画像信号は、データバス２２を介してＳＤＲＡＭ２４に転送され、ここに一旦蓄えられる。
【００４８】
デジタル信号処理回路３０は、上記ＳＤＲＡＭ２４に格納されたＲ、Ｇ、Ｂデータを読み出し、これらに光源種に応じたデジタルゲインをかけることでホワイトバランス調整を行うとともに、ガンマ（階調特性）処理及びシャープネス処理を行ってＲ、Ｇ、Ｂ信号を生成し、更にＹＣ信号処理して輝度信号Ｙとクロマ信号Ｃｒ、Ｃｂ（ＹＣ信号）を生成し、そのＹＣ信号を再びＳＤＲＡＭ２４に格納する。
【００４９】
上記のようにＳＤＲＡＭ２４に格納されたＹＣ信号は、圧縮伸張回路３６によって所定のフォーマットに圧縮されたのち、外部メディア制御回路４０によって記録媒体１６に記録される。
【００５０】
ＳＤＲＡＭ２４には、後述するアニメーション作成回路が使用するための、最後に撮影された画像データが常に格納されている。
【００５１】
ＳＤＲＡＭ２４は電源が切られると内容を保持しておくことができないので、操作部１２の電源ボタン１がＯＮ操作されたときには、ＣＰＵ１８はこれを検出し、記録媒体１６に記録された最新の画像データを圧縮伸張回路３６によって伸張して、ＳＤＲＡＭ２４に格納する。
【００５２】
アニメーション作成回路３４は、本撮影が行われると、今回撮影して取り込まれた画像データと、予めＳＤＲＡＭ２４に格納された前回本撮影された画像データとを用いて、アニメーションを作成し、ＳＤＲＡＭ２４に格納する。
【００５３】
タイマ回路３２は、ポストビューを表示する時間をカウントするための回路である。
【００５４】
次に、本発明に係る撮像装置の第１の実施の形態の液晶モニタの表示について、図３を用いて説明する。
【００５５】
図３は本発明に係る撮像装置の第１の実施の形態の動作を示すフローチャートである。
【００５６】
撮影スタンバイ状態では、ＣＰＵ１８は、表示制御回路３８を制御して液晶モニタ１４にスルー画像を表示させる（ステップＳ１）。
【００５７】
ユーザは、液晶モニタ１４に表示されるスルー画像を見ながらフレーミングしたり、撮影したい被写体を確認したり、撮影後の画像を確認したり、撮影条件を設定したりすることができる。
【００５８】
ここでシャッターボタン２を押すと、被写体を撮影することができる（ステップＳ２）。
【００５９】
前述したように、撮影が行われると、撮影画像データであるＹＣ信号がＳＤＲＡＭ２４に格納される（ステップＳ３）。
【００６０】
このときアニメーション作成回路３４は、今回撮影して取り込まれた画像データ（ＹＣ信号）と予めＳＤＲＡＭ２４に格納されている前回撮影されて取り込まれた画像データを用いて、アニメーションを作成し、ＳＤＲＡＭ２４に格納する（ステップＳ４）。
【００６１】
アニメーションがＳＤＲＡＭ２４に格納されると、ＣＰＵ１８は、表示制御回路３８を制御して液晶モニタ１４にこのアニメーションを表示する（ステップＳ５）。
【００６２】
アニメーションが終了すると今回撮影された画像、即ちポストビューが表示され（ステップＳ６）、タイマ回路３２はポストビューを表示している時間をカウントする。
【００６３】
所定の時間が経過するとタイマ回路３２がカウントを終了し、ＣＰＵ１８は表示制御回路３８を制御して液晶モニタ１４の表示をスルー画像に戻す（ステップＳ７）。
【００６４】
タイマのカウント時間は、ユーザが自由に設定できるようになっている。
【００６５】
ここで、アニメーション作成回路３４が作成するアニメーションについて説明する。
【００６６】
図４は、本発明に係る撮像装置の第１の実施の形態のアニメーション作成回路３４に予め設定されている、アニメーションの代表的なフレームを表す図である。
【００６７】
各フレームは、第１の表示エリア８０、第２の表示エリア８１、第３の表示エリア８２にそれぞれ分割されている。
【００６８】
このアニメーションは、ページめくりのアニメーションを逆送り再生したようなアニメーションであり、図４（ａ）に示す第３の表示エリア８２（ａ）に表示されている前回撮影した画像が図４（ｄ）に示す第２の表示エリア８１（ｄ）に表示されている今回撮影した画像に移り変わっていくアニメーションとなっている。
【００６９】
アニメーション作成回路３４は、図４に示す代表的なフレームを含む全てのフレームについて、第３の表示エリア８２に前回撮影した画像を、第２の表示エリア８１に今回撮影した画像を、ＳＤＲＡＭ２４から読み出し、それぞれに挿入し、さらにこれらのフレームを順次再生するアニメーションを作成する。
【００７０】
ここで第１の表示エリア８０は、第２の表示エリア８１がめくれて裏側が見えている様子をイメージした部分であり、白色のまま使用する。
【００７１】
このように、撮影後に液晶モニタ１４に表示されるアニメーションは、前回撮影した画像の上に今回撮影した画像を動的に重ね合わせる印象を持つ特殊効果画像となり、ポストビューで撮影画像を確認することができるとともに、確実に撮影され、保存されたことをユーザに認識させることができる。
【００７２】
またアニメーション作成回路３４が作成するアニメーションは、この実施例のアニメーションに限らず、前回撮影した画像から今回撮影した画像に移り変わるようなアニメーションならば、例えばムーブインやワイプのアニメーションでもよい。
【００７３】
（第２の実施の形態）
本発明に係る撮像装置の第２の実施の形態では、これまで撮影した画像のデータを縮小化して常にＳＤＲＡＭ２４に格納してある。
【００７４】
ＳＤＲＡＭ２４は電源が切られると内容を保持しておくことができないので、操作部１２の電源ボタン１がＯＮ操作されたときには、ＣＰＵ１８はこれを検出し、記録媒体１６に記録されたこれまで撮影された画像データを圧縮伸張回路３６によって伸張して、ＳＤＲＡＭ２４に格納する。
【００７５】
図５は、本発明に係る撮像装置の第２の実施の形態のアニメーション作成回路３４に予め設定されているアニメーションの代表的なフレームを表す図であり、ここでは以前撮影した画像が７枚あり、今回８枚目を撮影した場合を例に説明する。
【００７６】
各フレームは、複数の領域に分割されており、第４の表示エリア８３、第５の表示エリア９１、第６の表示エリア９２、第７の表示エリア９３、第８の表示エリア９４、第９の表示エリア９５、第１０の表示エリア９６、第１１の表示エリア９７、第１３の表示エリア９９、にそれぞれ分割されている。
【００７７】
このアニメーションは、１枚の画像が複数画像のマルチ表示に格納されていくアニメーションとなっており、図５（ａ）に示す全面の第４の表示エリア８３（ａ）に表示された今回撮影した画像から、図５（ｄ）に示す第５の表示エリア９１（ｄ）〜第１３の表示エリア９９（ｄ）にこれまで撮影した画像、及び第４の表示エリア８３（ｄ）に今回撮影した画像、のマルチ表示へ、移り変わっていくアニメーションとなっている。
【００７８】
アニメーション作成回路３４は、図５に示す代表的なフレームを含む全てのフレームについて、第４の表示エリア８３に今回撮影した画像を、第１１の表示エリア９７に１枚前に撮影した画像を、第１０の表示エリア９６に２枚前に撮影した画像を、以下順に９５〜９１に３枚前〜７枚前に撮影した画像を、ＳＤＲＡＭ２４から読み出し、それぞれに挿入し、さらにこれらのフレームを順次再生するアニメーションを作成する。
【００７９】
第４の表示エリア８３（ａ）〜８３（ｄ）はそれぞれ大きさが異なるが、同じ画像のまま縮小して挿入する。
【００８０】
なお前述したように今回撮影した画像が８枚目であり、９枚目の画像は存在しないため、第１３の表示エリア９９は白い空欄になっているが、今回撮影した画像が９枚目以降の画像であっても８枚目の画像と同様なアニメーションを作成し、第１３の表示エリア９９は常に白い空間になるように表示する。
【００８１】
このように、撮影後に液晶モニタ１４に表示されるアニメーションは、今回撮影した画像が、以前撮影した最新の７枚の画像の一覧表示の中に８枚目として追加されていくアニメーションとなる。
【００８２】
図６は本発明に係る撮像装置の第２の実施の形態の動作を示すフローチャートである。
【００８３】
図３と共通する部分には同一の符号を付し、その詳細な説明は省略する。
【００８４】
アニメーションがＳＤＲＡＭ２４に格納されると、ＣＰＵ１８は、表示制御回路３８を制御して液晶モニタ１４にポストビューを表示し（ステップＳ１５）、タイマ回路３２はポストビューを表示している時間をカウントする。
【００８５】
所定の時間が経過するとタイマ回路３２がカウントを終了し（ステップＳ１６）、ＣＰＵ１８は表示制御回路３８を制御して、液晶モニタ１４にアニメーションを表示させる（ステップＳ１７）。
【００８６】
アニメーションが終了すると、ＣＰＵ１８は表示制御回路３８を制御して液晶モニタ１４の表示をスルー画像に戻す（ステップＳ１）。
【００８７】
タイマのカウント時間は、ユーザが自由に設定できるようになっている。
【００８８】
図７は、本発明に係る撮像装置の第２の実施の形態のアニメーション作成回路３４に予め設定されているアニメーションの代表的なフレームを表す図であり、今回撮影された画像が４枚目であるときのアニメーションを表している。
【００８９】
各フレームは、第４の表示エリア８３、第５の表示エリア９１、第６の表示エリア９２、第７の表示エリア９３、第９の表示エリア９５、第１０の表示エリア９６、第１１の表示エリア９７、第１２の表示エリア９８、第１３の表示エリア９９、にそれぞれ分割されている。
【００９０】
このアニメーションは、図７（ａ）に示す全面の第４の表示エリア８３（ａ）に表示された今回撮影した画像から、図７（ｄ）に示す第５の表示エリア９１（ｄ）〜第１３の表示エリア９９（ｄ）にこれまで撮影された画像、及び第４の表示エリア８３（ｄ）の今回撮影した画像、のマルチ表示へ、移り変わっていくアニメーションとなっている。
【００９１】
アニメーション作成回路３４は、図７に示す代表的なフレームを含む全てのフレームについて、第４の表示エリア８３に今回撮影した画像を、第７の表示エリア９３に１枚前に撮影した画像を、第６の表示エリア９２に２枚前に撮影した画像を、第５の表示エリア９１に３枚前に撮影した画像を、ＳＤＲＡＭ２４から読み出し、それぞれに挿入し、さらにこれらのフレームを順次再生するアニメーションを作成する。
【００９２】
第４の表示エリア８３（ａ）〜８３（ｄ）はそれぞれ大きさが異なるが、同じ画像のまま縮小して挿入する。
【００９３】
なお今回撮影した画像が４枚目であり、５枚目以降の画像は存在しないため、第９の表示エリア９５〜第１３の表示エリア９９の部分は白い空欄になっている。
【００９４】
これにより、撮影後に液晶モニタ１４に表示されるアニメーションは、今回撮影した画像が、以前撮影した３枚の画像の一覧表示の中に４枚目として追加されていくアニメーションとなる。
【００９５】
このように、本発明に係る撮像装置の第２の実施の形態では、今回撮影された画像が何枚目かによって、撮影後に表示されるアニメーションが異なる。
【００９６】
撮影枚数が９枚を超えた場合は、再び１枚目から一覧表示に追加されるアニメーションにしてもよい。
【００９７】
なお、この実施の形態では、アニメーションを表示してからポストビューを表示し、又はポストビューを表示してからアニメーションを表示するようにしたが、いずれの場合もポストビューを含むアニメーションを作成し、アニメーションのみを撮影直後に表示するようにしてもよい。
【図面の簡単な説明】
【００９８】
【図１】図１は本発明に係る撮像装置を斜め後方から見た斜視図である。
【図２】図２は本発明に係る撮像装置の内部構成の一例を示すブロック図である。
【図３】図３は本発明に係る撮像装置の第１の実施の形態の動作を示すフローチャートである。
【図４】図４は本発明に係る撮像装置の第１の実施の形態の、液晶モニタに表示されるアニメーションの代表的なフレームを表した図である。
【図５】図５は本発明に係る撮像装置の第２の実施の形態の、液晶モニタに表示されるアニメーションの代表的なフレームを表した図である。
【図６】図６は本発明に係る撮像装置の第２の実施の形態の動作を示すフローチャートである。
【図７】図７は本発明に係る撮像装置の第２の実施の形態の、液晶モニタに表示されるアニメーションの各フレームを表した図である。
【符号の説明】
【００９９】
１０…撮像装置（デジタルカメラ）、１４…液晶モニタ、１６…記録媒体、１８…ＣＰＵ、３４…アニメーション作成回路、２４…ＳＤＲＡＭ、２６…ＥＥＰＲＯＭ、２８…メモリ制御回路、３８…表示制御回路、４０…外部メディア制御回路、４２…レンズ、５０…ＣＣＤ、５２…アナログ信号処理回路、５４…Ａ／Ｄコンバータ
【図１】
2008109221.tif 000003
【図２】
2008109221.tif 000004
【図３】
2008109221.tif 000005
【図４】
2008109221.tif 000006
【図５】
2008109221.tif 000007
【図６】
2008109221.tif 000008
【図７】
2008109221.tif 000009